【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
ユーザ機器におけるワイヤレス通信の方法において、
ソース基地局からターゲット基地局へのハンドオーバーに関係付けられている接続再コンフィギュレーションメッセージを受信することと、
前記受信した接続再コンフィギュレーションメッセージに少なくとも部分的に基づいて、無線リソース制御、ＲＲＣ、コンフィギュレーションを適用することと、
前記接続再コンフィギュレーションメッセージを受信した後、前記ソース基地局からのデータ送信を受信することと、
前記接続再コンフィギュレーションメッセージを受信することに少なくとも部分的に基づいて、前記ターゲット基地局とのアクセス手順を実行することと、
前記アクセス手順が成功したか否かを決定することと、
成功したアクセス手順に少なくとも部分的に基づいて、媒体アクセス制御、ＭＡＣ、コンフィギュレーションをリセットすることと、無線リンク制御、ＲＬＣ、コンフィギュレーションをリセットすることと、または、パケットデータ収束プロトコル、ＰＤＣＰ、コンフィギュレーションを再確立することと、または、これらの任意の組み合わせをすることとを含む方法。
【請求項２】
デュアルリンクハンドオーバー能力の表示を前記ソース基地局に送信することをさらに含み、
前記データ送信は、前記表示に少なくとも部分的に基づいて受信される請求項１記載の方法。
【請求項３】
前記デュアルリンクハンドオーバー能力は、短い待ち時間能力に関係付けられている請求項２記載の方法。
【請求項４】
前記リセットされたＭＡＣコンフィギュレーション、前記リセットされたＲＬＣコンフィギュレーション、前記再確立されたＰＤＣＰコンフィギュレーション、または、これらの任意の組み合わせに少なくとも部分的に基づいて、前記ターゲット基地局からの後続データ送信を受信することをさらに含む請求項１記載の方法。
【請求項５】
前記データ送信および前記後続データ送信は、同じＲＬＣ／ＰＤＣＰスタックを使用する請求項４記載の方法。
【請求項６】
前記ＭＡＣコンフィギュレーションをリセットすること、前記ＲＬＣコンフィギュレーションをリセットすること、または、前記ＰＤＣＰコンフィギュレーションを再確立すること、または、これらの任意の組み合わせをすることより前に、前記ターゲット基地局からの第２のデータ送信を受信することをさらに含む請求項１記載の方法。
【請求項７】
前記第２のデータ送信は、ソース基地局暗号化送信であり、または、
前記第２のデータ送信は、前記ソース基地局からの前記データ送信と同じ論理チャネルに対応する請求項６記載の方法。
【請求項８】
前記接続再コンフィギュレーションメッセージを受信することに少なくとも部分的に基づいて、無線リンクモニタリング（ＲＬＭ）手順を抑制することをさらに含む請求項１記載の方法。
【請求項９】
前記アクセス手順が成功しなかったという決定に少なくとも部分的に基づいて、前記ソース基地局との前記ＲＬＭ手順を再開すること、または、
前記アクセス手順が成功したという決定に少なくとも部分的に基づいて、前記ターゲット基地局との前記ＲＬＭ手順を再開することをさらに含む請求項８記載の方法。
【請求項１０】
ソース基地局におけるワイヤレス通信の方法において、
前記ソース基地局によって、ワイヤレスデバイスのハンドオーバーに関係付けられているＲＲＣ接続再コンフィギュレーションメッセージをターゲット基地局に送ることと、
前記ＲＲＣ接続再コンフィギュレーションメッセージを送った後、データ送信を前記ワイヤレスデバイスに送ることと、
前記ワイヤレスデバイスが前記ターゲット基地局に対するアクセス手順の実行に成功した後、前記ターゲット基地局または前記ワイヤレスデバイスからハンドオーバー実行メッセージを受信することとを含む方法。
【請求項１１】
ターゲット基地局におけるワイヤレス通信の方法において、
前記ターゲット基地局によって、ソース基地局からハンドオーバー準備要求を受信することと、
ワイヤレスデバイスからアクセス要求を受信することと、
前記アクセス要求に少なくとも部分的に基づいて、前記ワイヤレスデバイスからＲＲＣ接続再コンフィギュレーション完了メッセージを受信することと、
前記ＲＲＣ接続再コンフィギュレーション完了メッセージに少なくとも部分的に基づいて、ハンドオーバー実行メッセージを前記ソース基地局に送信することとを含む方法。
【請求項１２】
ワイヤレス通信のための装置において、
ソース基地局からターゲット基地局へのハンドオーバーに関係付けられている接続再コンフィギュレーションメッセージを受信する手段と、
前記受信した接続再コンフィギュレーションメッセージに少なくとも部分的に基づいて、無線リソース制御、ＲＲＣ、コンフィギュレーションを適用する手段と、
前記接続再コンフィギュレーションメッセージを受信した後、前記ソース基地局からのデータ送信を受信する手段と、
前記接続再コンフィギュレーションメッセージを受信することに少なくとも部分的に基づいて、前記ターゲット基地局とのアクセス手順を実行する手段と、
前記アクセス手順が成功したか否かを決定する手段と、
成功したアクセス手順に少なくとも部分的に基づいて、媒体アクセス制御、ＭＡＣ、コンフィギュレーションをリセットし、無線リンク制御、ＲＬＣ、コンフィギュレーションをリセットし、または、パケットデータ収束プロトコル、ＰＤＣＰ、コンフィギュレーションを再確立し、または、これらの任意の組み合わせをする手段とを具備する装置。
【請求項１３】
ソース基地局におけるワイヤレス通信のための装置において、
ワイヤレスデバイスのハンドオーバーに関係付けられているＲＲＣ接続再コンフィギュレーションメッセージをターゲット基地局に送る手段と、
前記ＲＲＣ接続再コンフィギュレーションメッセージを送った後、データ送信を前記ワイヤレスデバイスに送る手段と、
前記ワイヤレスデバイスが前記ターゲット基地局に対するアクセス手順の実行に成功した後、前記ターゲット基地局または前記ワイヤレスデバイスからハンドオーバー実行メッセージを受信する手段とを具備する装置。
【請求項１４】
ターゲット基地局におけるワイヤレス通信のための装置において、
ソース基地局からハンドオーバー準備要求を受信する手段と、
ワイヤレスデバイスからアクセス要求を受信する手段と、
前記アクセス要求に少なくとも部分的に基づいて、前記ワイヤレスデバイスからＲＲＣ接続再コンフィギュレーション完了メッセージを受信する手段と、
前記ＲＲＣ接続再コンフィギュレーション完了メッセージに少なくとも部分的に基づいて、ハンドオーバー実行メッセージを前記ソース基地局に送信する手段とを具備する装置。
【請求項１５】
ワイヤレス通信のためのコードを記憶している非一時的コンピュータ読取可能媒体において、前記コードは、請求項１から１１のうちのいずれかの方法を実行するように実行可能な命令を含む非一時的コンピュータ読取可能媒体。
【手続補正２】
【補正対象書類名】明細書
【補正対象項目名】０１５４
【補正方法】変更
【補正の内容】
【０１５４】
［０１６２］
ここでの説明は、当業者が本開示を製造または使用することを可能にするように提供されている。本開示に対するさまざまな修正は、当業者にとって容易に明らかとなり、ここで定義される一般的な原理は、本開示の範囲から逸脱することなく他のバリエーションに適用してもよい。したがって、本開示は、ここで説明された例および設計に限定されず、ここで開示された原理および新規な特徴と一致する最も広い範囲を与えられる。
以下に、本願出願の当初の特許請求の範囲に記載された発明を付記する。
［１］  ワイヤレス通信の方法において、
ソース基地局からターゲット基地局へのハンドオーバーに関係付けられている接続再コンフィギュレーションメッセージを受信することと、
前記接続再コンフィギュレーションメッセージを受信した後、前記ソース基地局からのデータ送信を受信することと、
前記接続再コンフィギュレーションメッセージを受信することに少なくとも部分的に基づいて、前記ターゲット基地局とのアクセス手順を実行することと、
前記アクセス手順が成功したか否かを決定することと、
成功したアクセス手順に少なくとも部分的に基づいて、媒体アクセス制御（ＭＡＣ）コンフィギュレーションをリセットすることと、無線リンク制御（ＲＬＣ）コンフィギュレーションをリセットすることと、または、パケットデータ収束プロトコル（ＰＤＣＰ）コンフィギュレーションを再確立することと、または、これらの任意の組み合わせをすることとを含む方法。
［２］  デュアルリンクハンドオーバー能力の表示を前記ソース基地局に送信することをさらに含み、
前記データ送信は、前記表示に少なくとも部分的に基づいて受信される［１］記載の方法。
［３］  前記デュアルリンクハンドオーバー能力は、短い待ち時間能力に関係付けられている［２］記載の方法。
［４］  前記リセットされたＭＡＣコンフィギュレーション、前記リセットされたＲＬＣコンフィギュレーション、前記再確立されたＰＤＣＰコンフィギュレーション、または、これらの任意の組み合わせに少なくとも部分的に基づいて、前記ターゲット基地局からの後続データ送信を受信することをさらに含む［１］記載の方法。
［５］  前記データ送信および前記後続データ送信は、同じＲＬＣ／ＰＤＣＰスタックを使用する［４］記載の方法。
［６］  前記ＭＡＣコンフィギュレーションをリセットすること、前記ＲＬＣコンフィギュレーションをリセットすること、または、前記ＰＤＣＰコンフィギュレーションを再確立すること、または、これらの任意の組み合わせをすることより前に、前記ターゲット基地局からの第２のデータ送信を受信することをさらに含む［１］記載の方法。
［７］  前記第２のデータ送信は、ソース基地局暗号化送信である［６］記載の方法。
［８］  前記第２のデータ送信は、前記ソース基地局からの前記データ送信と同じ論理チャネルに対応する［６］記載の方法。
［９］  前記接続再コンフィギュレーションメッセージを受信することに少なくとも部分的に基づいて、無線リンクモニタリング（ＲＬＭ）手順を抑制することをさらに含む［１］記載の方法。
［１０］  前記アクセス手順が成功しなかったという決定に少なくとも部分的に基づいて、前記ソース基地局との前記ＲＬＭ手順を再開することをさらに含む［９］記載の方法。
［１１］  前記アクセス手順が成功したという決定に少なくとも部分的に基づいて、前記ターゲット基地局との前記ＲＬＭ手順を再開することをさらに含む［９］記載の方法。
［１２］  前記アクセス手順が成功しなかったという決定に少なくとも部分的に基づいて、前記接続再コンフィギュレーションメッセージをパージすることと、
前記ソース基地局との通信を継続することとをさらに含む［１］記載の方法。
［１３］  前記アクセス手順が成功したという決定は、前記ターゲット基地局からコンテンション解消メッセージを受信することを含む［１］記載の方法。
［１４］  ソース基地局におけるワイヤレス通信の方法において、
前記ソース基地局によって、ワイヤレスデバイスのハンドオーバーに関係付けられている接続再コンフィギュレーションメッセージをターゲット基地局に送ることと、
前記接続再コンフィギュレーションメッセージを送った後、データ送信を前記ワイヤレスデバイスに送ることと、
前記ワイヤレスデバイスが前記ターゲット基地局に対するアクセス手順の実行に成功した後、前記ターゲット基地局または前記ワイヤレスデバイスからハンドオーバー実行メッセージを受信することとを含む方法。
［１５］  前記ワイヤレスデバイスからデュアルリンクハンドオーバー能力の表示を受信することをさらに含み、前記データ送信は、前記表示に少なくとも部分的に基づいて送られる［１４］記載の方法。
［１６］  前記デュアルリンクハンドオーバー能力は、短い待ち時間能力に関係付けられている［１５］記載の方法。
［１７］  前記デュアルリンクハンドオーバー能力の表示を前記ターゲット基地局に送ることをさらに含む［１５］記載の方法。
［１８］  前記ハンドオーバー実行メッセージを受信することに応答して、前記ワイヤレスデバイスへの送信を停止することをさらに含む［１４］記載の方法。
［１９］  前記ハンドオーバー実行メッセージに応答して、シーケンス番号（ＳＮ）ステータス転送メッセージまたはベアラデータメッセージを前記ターゲット基地局に送信することをさらに含む［１４］記載の方法。
［２０］  ソース基地局におけるワイヤレス通信の方法において、
ワイヤレスデバイスからデュアルリンクハンドオーバー能力の表示を受信することと、
ターゲット基地局がデュアルリンクハンドオーバーをサポートしないと決定することと、
前記ターゲット基地局がデュアルリンクハンドオーバーをサポートしないという決定に少なくとも部分的に基づいて、前記ワイヤレスデバイスのハンドオーバーに関係付けられている接続再コンフィギュレーションメッセージの前記ターゲット基地局への送信を止めることとを含む方法。
［２１］  ターゲット基地局におけるワイヤレス通信の方法において、
前記ターゲット基地局によって、ソース基地局からハンドオーバー準備要求を受信することと、
ワイヤレスデバイスからアクセス要求を受信することと、
前記アクセス要求に少なくとも部分的に基づいて、前記ワイヤレスデバイスから接続再コンフィギュレーション完了メッセージを受信することと、
前記接続再コンフィギュレーション完了メッセージに少なくとも部分的に基づいて、ハンドオーバー実行メッセージを前記ソース基地局に送信することとを含む方法。
［２２］  前記ソース基地局からデュアルリンクハンドオーバー能力の表示を受信することをさらに含み、データ送信は、前記表示に少なくとも部分的に基づいて送られる［２１］記載の方法。
［２３］  前記デュアルリンクハンドオーバー能力は、短い待ち時間能力に関係付けられている［２２］記載の方法。
［２４］  前記ハンドオーバー実行メッセージに応答して、前記ソース基地局からシーケンス番号（ＳＮ）ステータス転送メッセージまたはベアラデータメッセージを受信することをさらに含む［２１］記載の方法。
［２５］  前記ＳＮステータス転送メッセージまたは前記ベアラデータメッセージを受信することに少なくとも部分的に基づいて、データ送信を前記ワイヤレスデバイスに送ることをさらに含む［２４］記載の方法。
［２６］  前記接続再コンフィギュレーション完了メッセージを受信するより前に、ソース基地局暗号化送信を前記ワイヤレスデバイスに送ることをさらに含む［２１］記載の方法。
［２７］  ワイヤレス通信のための装置において、
ソース基地局からターゲット基地局へのハンドオーバーに関係付けられている接続再コンフィギュレーションメッセージを受信する手段と、
前記接続再コンフィギュレーションメッセージを受信した後、前記ソース基地局からのデータ送信を受信する手段と、
前記接続再コンフィギュレーションメッセージを受信することに少なくとも部分的に基づいて、前記ターゲット基地局とのアクセス手順を実行する手段と、
前記アクセス手順が成功したか否かを決定する手段と、
成功したアクセス手順に少なくとも部分的に基づいて、媒体アクセス制御（ＭＡＣ）コンフィギュレーションをリセットし、無線リンク制御（ＲＬＣ）コンフィギュレーションをリセットし、または、パケットデータ収束プロトコル（ＰＤＣＰ）コンフィギュレーションを再確立し、または、これらの任意の組み合わせをする手段とを具備する装置。
［２８］  デュアルリンクハンドオーバー能力の表示を前記ソース基地局に送信する手段をさらに具備し、前記データ送信は、前記表示に少なくとも部分的に基づいて受信される［２７］記載の装置。
［２９］  前記デュアルリンクハンドオーバー能力は、短い待ち時間能力に関係付けられている［２８］記載の装置。
［３０］  前記リセットされたＭＡＣコンフィギュレーション、前記リセットされたＲＬＣコンフィギュレーション、前記再確立されたＰＤＣＰコンフィギュレーション、または、これらの任意の組み合わせに少なくとも部分的に基づいて、前記ターゲット基地局からの後続データ送信を受信する手段をさらに具備する［２７］記載の装置。
［３１］  前記データ送信および前記後続データ送信は、同じＲＬＣ／ＰＤＣＰスタックを使用する［３０］記載の装置。
［３２］  ソース基地局におけるワイヤレス通信のための装置において、
前記ソース基地局によって、ワイヤレスデバイスのハンドオーバーに関係付けられている接続再コンフィギュレーションメッセージをターゲット基地局に送る手段と、
前記接続再コンフィギュレーションメッセージを送った後、データ送信を前記ワイヤレスデバイスに送る手段と、
前記ワイヤレスデバイスが前記ターゲット基地局に対するアクセス手順の実行に成功した後、前記ターゲット基地局または前記ワイヤレスデバイスからハンドオーバー実行メッセージを受信する手段とを具備する装置。
［３３］  前記ワイヤレスデバイスからデュアルリンクハンドオーバー能力の表示を受信する手段をさらに具備し、前記データ送信は、前記表示に少なくとも部分的に基づいて送られる［３２］記載の装置。
［３４］  前記デュアルリンクハンドオーバー能力は、短い待ち時間能力に関係付けられている［３３］記載の装置。
［３５］  前記デュアルリンクハンドオーバー能力の表示を前記ターゲット基地局に送る手段をさらに具備する［３３］記載の装置。
［３６］  前記ハンドオーバー実行メッセージに応答して、シーケンス番号（ＳＮ）ステータス転送メッセージまたはベアラデータメッセージを前記ターゲット基地局に送信する手段をさらに具備する［３２］記載の装置。
［３７］  前記ハンドオーバー実行メッセージを受信することに応答して、前記ワイヤレスデバイスへの送信を停止する手段をさらに具備する［３２］記載の装置。
［３８］  ソース基地局におけるワイヤレス通信のための装置において、
ワイヤレスデバイスからデュアルリンクハンドオーバー能力の表示を受信する手段と、
ターゲット基地局がデュアルリンクハンドオーバーをサポートしないと決定する手段と、
前記ターゲット基地局がデュアルリンクハンドオーバーをサポートしないという決定に少なくとも部分的に基づいて、前記ワイヤレスデバイスのハンドオーバーに関係付けられている接続再コンフィギュレーションメッセージの前記ターゲット基地局への送信を止める手段とを具備する装置。
［３９］  ターゲット基地局におけるワイヤレス通信のための装置において、
前記ターゲット基地局によって、ソース基地局からハンドオーバー準備要求を受信する手段と、
ワイヤレスデバイスからアクセス要求を受信する手段と、
前記アクセス要求に少なくとも部分的に基づいて、前記ワイヤレスデバイスから接続再コンフィギュレーション完了メッセージを受信する手段と、
前記接続再コンフィギュレーション完了メッセージに少なくとも部分的に基づいて、ハンドオーバー実行メッセージを前記ソース基地局に送信する手段とを具備する装置。
［４０］  ハンドオーバー能力の表示を前記ソース基地局に送信する手段をさらに具備する［３９］記載の装置。
［４１］  前記ソース基地局からデュアルリンクハンドオーバー能力の表示を受信する手段をさらに具備する［３９］記載の装置。
［４２］  ワイヤレス通信のための装置において、
プロセッサと、
前記プロセッサと電子通信するメモリと、
前記メモリ中に記憶されている命令とを具備し、
前記命令は、前記装置に、
ソース基地局からターゲット基地局へのハンドオーバーに関係付けられている接続再コンフィギュレーションメッセージを受信させ、
前記接続再コンフィギュレーションメッセージを受信させた後、前記ソース基地局からのデータ送信を受信させ、
前記接続再コンフィギュレーションメッセージを受信させることに少なくとも部分的に基づいて、前記ターゲット基地局とのアクセス手順を実行させ、
前記アクセス手順が成功したか否かを決定させ、
成功したアクセス手順に少なくとも部分的に基づいて、媒体アクセス制御（ＭＡＣ）コンフィギュレーションをリセットさせ、無線リンク制御（ＲＬＣ）コンフィギュレーションをリセットさせ、または、パケットデータ収束プロトコル（ＰＤＣＰ）コンフィギュレーションを再確立させ、または、これらの任意の組み合わせをさせるように、前記プロセッサによって実行可能である装置。
［４３］  前記命令は、前記装置に、
デュアルリンクハンドオーバー能力の表示を前記ソース基地局に送信させ、
前記表示に少なくとも部分的に基づいて、前記データ送信を受信させるように、前記プロセッサによって実行可能である［４２］記載の装置。
［４４］  前記デュアルリンクハンドオーバー能力は、短い待ち時間能力に関係付けられている［４３］記載の装置。
［４５］  前記命令は、前記装置に、
前記リセットされたＭＡＣコンフィギュレーション、前記リセットされたＲＬＣコンフィギュレーション、前記再確立されたＰＤＣＰコンフィギュレーション、または、これらの任意の組み合わせに少なくとも部分的に基づいて、前記ターゲット基地局からの後続データ送信を受信させるように、前記プロセッサによって実行可能である［４２］記載の装置。
［４６］  前記データ送信および前記後続データ送信は、同じＲＬＣ／ＰＤＣＰスタックを使用する［４５］記載の装置。
［４７］  前記命令は、前記装置に、
前記ＭＡＣコンフィギュレーションをリセットさせ、前記ＲＬＣコンフィギュレーションをリセットさせ、または、前記ＰＤＣＰコンフィギュレーションを再確立させ、または、これらの任意の組み合わせをさせるより前に、前記ターゲット基地局からの第２のデータ送信を受信させるように、前記プロセッサによって実行可能である［４２］記載の装置。
［４８］  前記第２のデータ送信は、ソース基地局暗号化送信である［４７］記載の装置。
［４９］  前記第２のデータ送信は、前記ソース基地局からの前記データ送信と同じ論理チャネルに対応する［４７］記載の装置。
［５０］  前記命令は、前記装置に、
前記接続再コンフィギュレーションメッセージを受信させることに少なくとも部分的に基づいて、無線リンクモニタリング（ＲＬＭ）手順を抑制させるように、前記プロセッサによって実行可能である［４２］記載の装置。
［５１］  前記命令は、前記装置に、
前記ターゲット基地局からコンテンション解消メッセージを受信させ、
前記コンテンション解消メッセージに少なくとも部分的に基づいて、前記アクセス手順が成功したと決定させるように、前記プロセッサによって実行可能である［４２］記載の装置。
［５２］  ソース基地局におけるワイヤレス通信のための装置において、
プロセッサと、
前記プロセッサと電子通信するメモリと、
前記メモリ中に記憶されている命令とを具備し、
前記命令は、前記装置に、
ワイヤレスデバイスのハンドオーバーに関係付けられている接続再コンフィギュレーションメッセージをターゲット基地局に送らせ、
前記接続再コンフィギュレーションメッセージを送らせた後、データ送信を前記ワイヤレスデバイスに送らせ、
前記ワイヤレスデバイスが前記ターゲット基地局に対するアクセス手順の実行に成功した後、前記ターゲット基地局または前記ワイヤレスデバイスからハンドオーバー実行メッセージを受信させるように、前記プロセッサによって実行可能である装置。
［５３］  前記命令は、前記装置に、
前記ワイヤレスデバイスからデュアルリンクハンドオーバー能力の表示を受信させ、
前記表示に少なくとも部分的に基づいて、前記データ送信を送らせるように、前記プロセッサによって実行可能である［５２］記載の装置。
［５４］  前記デュアルリンクハンドオーバー能力は、短い待ち時間能力に関係付けられている［５３］記載の装置。
［５５］  前記命令は、前記装置に、
前記デュアルリンクハンドオーバー能力の表示を前記ターゲット基地局に送らせるように、前記プロセッサによって実行可能である［５３］記載の装置。
［５６］  前記命令は、前記装置に、
前記ハンドオーバー実行メッセージを受信させることに応答して、前記ワイヤレスデバイスへの送信を停止させるように、前記プロセッサによって実行可能である［５３］記載の装置。
［５７］  前記命令は、
前記ハンドオーバー実行メッセージに応答して、シーケンス番号（ＳＮ）ステータス転送メッセージまたはベアラデータメッセージを前記ターゲット基地局に送信させるように動作可能である［５２］記載の装置。
［５８］  ソース基地局におけるワイヤレス通信のための装置において、
プロセッサと、
前記プロセッサと電子通信するメモリと、
前記メモリ中に記憶されている命令とを具備し、
前記命令は、前記装置に、
ワイヤレスデバイスからデュアルリンクハンドオーバー能力の表示を受信させ、
ターゲット基地局がデュアルリンクハンドオーバーをサポートしないと決定させ、
前記ターゲット基地局がデュアルリンクハンドオーバーをサポートしないという決定に少なくとも部分的に基づいて、前記ワイヤレスデバイスのハンドオーバーに関係付けられている接続再コンフィギュレーションメッセージの前記ターゲット基地局への送信を止めさせるように、前記プロセッサによって実行可能である装置。
［５９］  ターゲット基地局におけるワイヤレス通信のための装置において、
プロセッサと、
前記プロセッサと電子通信するメモリと、
前記メモリ中に記憶されている命令とを具備し、
前記命令は、前記装置に、
ソース基地局からハンドオーバー準備要求を受信させ、
ワイヤレスデバイスからアクセス要求を受信させ、
前記アクセス要求に少なくとも部分的に基づいて、前記ワイヤレスデバイスから接続再コンフィギュレーション完了メッセージを受信させ、
前記接続再コンフィギュレーション完了メッセージに少なくとも部分的に基づいて、ハンドオーバー実行メッセージを前記ソース基地局に送信させるように、前記プロセッサによって実行可能である装置。
［６０］  前記命令は、前記装置に、
ハンドオーバー能力の表示を前記ソース基地局に送信させるように、前記プロセッサによって実行可能である［５９］記載の装置。
［６１］  前記命令は、前記装置に、
前記ソース基地局からデュアルリンクハンドオーバー能力の表示を受信させるように、前記プロセッサによって実行可能である［５９］記載の装置。
［６２］  前記デュアルリンクハンドオーバー能力は、短い待ち時間能力に関係付けられている［６１］記載の装置。
［６３］  前記命令は、前記装置に、
前記ハンドオーバー実行メッセージに応答して、前記ソース基地局からシーケンス番号（ＳＮ）ステータス転送メッセージまたはベアラデータメッセージを受信させるように、前記プロセッサによって実行可能である［５９］記載の装置。
［６４］  前記命令は、前記装置に、
前記ＳＮステータス転送メッセージまたは前記ベアラデータメッセージを受信させることに少なくとも部分的に基づいて、データ送信を前記ワイヤレスデバイスに送らせるように、前記プロセッサによって実行可能である［６３］記載の装置。
［６５］  前記命令は、前記装置に、
前記接続再コンフィギュレーション完了メッセージを受信させるより前に、ソース基地局暗号化送信を前記ワイヤレスデバイスに送らせるように、前記プロセッサによって実行可能である［５９］記載の装置。
［６６］  ワイヤレス通信のためのコードを記憶している非一時的コンピュータ読取可能媒体において、前記コードは、
ソース基地局からターゲット基地局へのハンドオーバーに関係付けられている接続再コンフィギュレーションメッセージを受信するようにと、
前記接続再コンフィギュレーションメッセージを受信した後、前記ソース基地局からのデータ送信を受信するようにと、
前記接続再コンフィギュレーションメッセージを受信することに少なくとも部分的に基づいて、前記ターゲット基地局とのアクセス手順を実行するようにと、
前記アクセス手順が成功したか否かを決定するようにと、
成功したアクセス手順に少なくとも部分的に基づいて、媒体アクセス制御（ＭＡＣ）コンフィギュレーションをリセットするように、無線リンク制御（ＲＬＣ）コンフィギュレーションをリセットするように、または、パケットデータ収束プロトコル（ＰＤＣＰ）コンフィギュレーションを再確立するように、または、これらの任意の組み合わせをするように実行可能な命令を含む非一時的コンピュータ読取可能媒体。
［６７］  ソース基地局におけるワイヤレス通信のためのコードを記憶している非一時的コンピュータ読取可能媒体において、前記コードは、
前記ソース基地局によって、ワイヤレスデバイスのハンドオーバーに関係付けられている接続再コンフィギュレーションメッセージをターゲット基地局に送るようにと、
前記接続再コンフィギュレーションメッセージを送った後、データ送信を前記ワイヤレスデバイスに送るようにと、
前記ワイヤレスデバイスが前記ターゲット基地局に対するアクセス手順の実行に成功した後、前記ターゲット基地局または前記ワイヤレスデバイスからハンドオーバー実行メッセージを受信するように実行可能な命令を含む非一時的コンピュータ読取可能媒体。
［６８］  ソース基地局におけるワイヤレス通信のためのコードを記憶している非一時的コンピュータ読取可能媒体において、前記コードは、
ワイヤレスデバイスからデュアルリンクハンドオーバー能力の表示を受信するようにと、
ターゲット基地局がデュアルリンクハンドオーバーをサポートしないと決定するようにと、
前記ターゲット基地局がデュアルリンクハンドオーバーをサポートしないという決定に少なくとも部分的に基づいて、前記ワイヤレスデバイスのハンドオーバーに関係付けられている接続再コンフィギュレーションメッセージの前記ターゲット基地局への送信を止めるように実行可能な命令を含む非一時的コンピュータ読取可能媒体。
［６９］  ターゲット基地局におけるワイヤレス通信のためのコードを記憶している非一時的コンピュータ読取可能媒体において、前記コードは、
前記ターゲット基地局によって、ソース基地局からハンドオーバー準備要求を受信するようにと、
ワイヤレスデバイスからアクセス要求を受信するようにと、
前記アクセス要求に少なくとも部分的に基づいて、前記ワイヤレスデバイスから接続再コンフィギュレーション完了メッセージを受信するようにと、
前記接続再コンフィギュレーション完了メッセージに少なくとも部分的に基づいて、ハンドオーバー実行メッセージを前記ソース基地局に送信するように実行可能な命令を含む非一時的コンピュータ読取可能媒体。